(57)【要約】【課題】部品点数の削減を図りながら、カードを２列に配置した状態で支持することが可能なカード支持装置を提供する。【解決手段】カード支持装置１は、基体部１１と、基体部１１の一方端部１１１ａから上方に延びるように設けられた立ち上がり部１２と、立ち上がり部１２から基体部１１の他方端部１１１ｂ側に延びるように設けられ、基体部１１の上方に配置される板部１３と、板部１３に設けられた折り返し部１４と、折り返し部１４から一方端部１１１ａ側に延びるように設けられ、板部１３の下方に配置される板部１５と、挿入されるカード５０を支持するように構成された溝部１６とを備える。基体部１１および板部１５は、基体部１１と板部１５との間に配置されるカード５０を挟持するように構成されている。基体部１１、立ち上がり部１２、板部１３、折り返し部１４、板部１５、および溝部１６は、一体的に形成されている。【選択図】図１
0003171119.tif 000002
【実用新案登録請求の範囲】
【請求項１】
カードを支持するカード支持装置であって、
板状の基体部と、
前記基体部の一方端部から上方に延びるように設けられた立ち上がり部と、
前記立ち上がり部から前記基体部の他方端部側に延びるように設けられ、前記基体部の上方に配置される第１板部と、
前記第１板部に設けられた折り返し部と、
前記折り返し部から前記基体部の一方端部側に延びるように設けられ、前記第１板部の下方に配置される第２板部と、
前記基体部の一方端部に沿って延びるように設けられ、挿入されるカードを支持するように構成された溝部とを備え、
前記基体部および前記第２板部は、前記基体部と前記第２板部との間に配置されるカードを挟持するように構成され、
前記基体部、前記立ち上がり部、前記第１板部、前記折り返し部、前記第２板部、および前記溝部は、一体的に形成されていること
を特徴とするカード支持装置。
【請求項２】
請求項１に記載のカード支持装置であって、
前記第２板部には、前記基体部と接触する摩擦部材が設けられていること
を特徴とするカード支持装置。
【請求項３】
請求項１または請求項２に記載のカード支持装置であって、
前記基体部の裏面には、磁石が設けられていること
を特徴とするカード支持装置。
【請求項４】
請求項１から請求項３までのいずれか一つに記載のカード支持装置であって、
前記溝部は、前記第１板部に形成されていること
を特徴とするカード支持装置。
【請求項５】
請求項１から請求項３までのいずれか一つに記載のカード支持装置であって、
前記立ち上がり部と対向するように設けられた第３板部を備え、
前記溝部は、前記立ち上がり部と前記第３板部とにより構成されていること
を特徴とするカード支持装置。
【請求項６】
請求項１から請求項５までのいずれか一つに記載のカード支持装置であって、
前記基体部は、平面的に見て長方形状に形成されており、
前記立ち上がり部、前記第１板部、前記折り返し部、前記第２板部、および前記溝部は、前記基体部の一方端部の長さと同じ長さを有すること
を特徴とするカード支持装置。
【請求項７】
請求項６に記載のカード支持装置であって、
前記基体部の一方端部は、前記長方形状の基体部の短手方向に位置する端部であること
を特徴とするカード支持装置。
【請求項８】
請求項６に記載のカード支持装置であって、
前記基体部の一方端部は、前記長方形状の基体部の長手方向に位置する端部であること
を特徴とするカード支持装置。
【考案の詳細な説明】
【技術分野】
【０００１】
本考案は、カードを支持するカード支持装置に関する。
【背景技術】
【０００２】
従来、児童に算数を教える際に用いられる算数教習具が知られている（たとえば、特許文献１参照）。
【０００３】
特許文献１には、鉄板により形成された矩形状の台板と、台板の表面の上部に取り付けられた枠体部とを備えた算数教習具が開示されている。枠体部は、合成樹脂製であり、台板の幅方向の全長にわたって取り付けられている。枠体部には、教習用カードを立てるためのスリット部が幅方向に沿って延びるように形成されている。また、枠体部の下縁部と台板との間には隙間が形成されており、この隙間が教習用カードを挟み込むクリップ部として機能する。なお、教習用カードには、たとえば、数字が記載された数字カードと、丸印が記載されたドットカードと、演算子が記載された記号カードとが含まれている。
【０００４】
特許文献１の算数教習具では、たとえば、児童に１＋２の計算を教える場合には、スリット部に、数字の１が記載された数字カード、演算子＋が記載された記号カード、数字の２が記載された数字カードが左端から順に立てられるとともに、クリップ部に、１個の丸印が記載されたドットカード、演算子＋が記載された記号カード、２個の丸印が記載されたドットカードが左端から順に差し込まれる。このとき、１個の丸印が記載されたドットカードは、数字の１が記載された数字カードと対応するように配置され、２個の丸印が記載されたドットカードは、数字の２が記載された数字カードと対応するように配置される。これにより、数字カードの数字と、ドットカードの丸印の数とを対比させながら児童に計算をさせることができるので、児童に数式を理解させやすくすることが可能である。
【０００５】
すなわち、特許文献１の算数教習具は、スリット部により、教習用カードを支持するとともに、クリップ部により、スリット部が支持する教習用カードと対応するように教習用カードを支持するように構成されている。つまり、特許文献１の算数教習具は、教習用カードを対比可能なように２列に配置した状態で支持するように構成されている。
【先行技術文献】
【特許文献】
【０００６】
【特許文献１】特開平１０−１６１５２０号公報
【考案の概要】
【考案が解決しようとする課題】
【０００７】
しかしながら、特許文献１に開示された従来の算数教習具では、教習用カードを２列に配置した状態で支持することが可能であるが、台板に枠体部を設ける必要があるので、部品点数を削減することが困難であるという問題点がある。
【０００８】
本考案は、上記の課題を解決するためになされたものであり、本考案の目的は、部品点数の削減を図りながら、カードを２列に配置した状態で支持することが可能なカード支持装置を提供することである。
【課題を解決するための手段】
【０００９】
本考案によるカード支持装置は、カードを支持するカード支持装置であって、板状の基体部と、前記基体部の一方端部から上方に延びるように設けられた立ち上がり部と、前記立ち上がり部から前記基体部の他方端部側に延びるように設けられ、前記基体部の上方に配置される第１板部と、前記第１板部に設けられた折り返し部と、前記折り返し部から前記基体部の一方端部側に延びるように設けられ、前記第１板部の下方に配置される第２板部と、前記基体部の一方端部に沿って延びるように設けられ、挿入されるカードを支持するように構成された溝部とを備え、前記基体部および前記第２板部は、前記基体部と前記第２板部との間に配置されるカードを挟持するように構成され、前記基体部、前記立ち上がり部、前記第１板部、前記折り返し部、前記第２板部、および前記溝部は、一体的に形成されていることを特徴とする。
【００１０】
このように構成することによって、溝部によりカードを支持するとともに、第２板部および基体部によりカードを挟持することができる。これにより、カードを対比可能なように２列に配置した状態で支持することができる。また、基体部、立ち上がり部、第１板部、折り返し部、第２板部、および溝部を一体的に形成することにより、台板に枠体部を設ける場合に比べて、部品点数を削減することができる。
【００１１】
上記カード支持装置において、前記第２板部には、前記基体部と接触する摩擦部材が設けられていてもよい。
【００１２】
このように構成すれば、基体部および第２板部により挟持されるカードを抜けにくくすることができる。
【００１３】
上記カード支持装置において、前記基体部の裏面には、磁石が設けられていてもよい。
【００１４】
このように構成すれば、カード支持装置を黒板などに取り付けることができる。
【００１５】
上記カード支持装置において、前記溝部は、前記第１板部に形成されていてもよい。
【００１６】
このように構成すれば、溝部を基体部などと一体的に形成することが容易にできる。
【００１７】
上記カード支持装置において、前記立ち上がり部と対向するように設けられた第３板部を備え、前記溝部は、前記立ち上がり部と前記第３板部とにより構成されていてもよい。
【００１８】
このように構成すれば、溝部を基体部などと一体的に形成することが容易にできる。
【００１９】
上記カード支持装置において、前記基体部は、平面的に見て長方形状に形成されており、前記立ち上がり部、前記第１板部、前記折り返し部、前記第２板部、および前記溝部は、前記基体部の一方端部の長さと同じ長さを有するようにしてもよい。
【００２０】
このように構成すれば、長方形状の基体部の一方端部の全長にわたって、カードを支持することができる。
【００２１】
上記長方形状の基体部を備えるカード支持装置において、前記基体部の一方端部は、前記長方形状の基体部の短手方向に位置する端部であってもよい。
【００２２】
このように構成すれば、基体部の面積を小さくすることにより、カード支持装置の小型化を図ることができる。
【００２３】
上記長方形状の基体部を備えるカード支持装置において、前記基体部の一方端部は、前記長方形状の基体部の長手方向に位置する端部であってもよい。
【００２４】
このように構成すれば、基体部および第２板部により挟持されるカードなどを基体部の表面上に載置することができる。
【考案の効果】
【００２５】
本考案によれば、部品点数の削減を図りながら、カードを２列に配置した状態で支持することが可能なカード支持装置を提供することができる。
【図面の簡単な説明】
【００２６】
【図１】本考案の実施の形態１によるカード支持装置の構造を示した斜視図である。
【図２】本考案の実施の形態１によるカード支持装置の使用方法を説明するための図である。
【図３】本考案の実施の形態１によるカード支持装置の使用方法を説明するための図である。
【図４】本考案の実施の形態２によるカード支持装置の構造を示した斜視図である。
【図５】本考案の実施の形態３によるカード支持装置の構造を示した斜視図である。
【考案を実施するための形態】
【００２７】
以下、本考案の実施の形態について図面を参照して説明する。
【００２８】
＜実施の形態１＞
まず、図１を参照して、実施の形態１によるカード支持装置１の構造について説明する。
【００２９】
カード支持装置１は、図１に示すように、カード５０を支持するカード支持装置本体１０と、カード支持装置本体１０に取り付けられたゴム部材２０および磁石３０とを備えている。なお、ゴム部材２０は、本考案の「摩擦部材」の一例である。
【００３０】
カード支持装置本体１０は、基体部１１と、立ち上がり部１２と、板部１３と、折り返し部１４と、板部１５と、溝部１６とを含んでいる。なお、板部１３および１５は、それぞれ、本考案の「第１板部」および「第２板部」の一例である。カード支持装置本体１０は、硬質樹脂により形成されており、基体部１１、立ち上がり部１２、板部１３、折り返し部１４、板部１５、および溝部１６は、一体的に形成されている。
【００３１】
基体部１１は、板状に形成されている。基体部１１は、平面的に見て長方形状に形成されており、長辺１１１および短辺１１２を有する。立ち上がり部１２は、基体部１１の一方端部１１１ａから上方に延びるように設けられている。立ち上がり部１２は、他方端部１１１ｂ側（矢印Ｙ１方向側）に傾斜するように形成されている。
【００３２】
なお、一方端部１１１ａおよび他方端部１１１ｂは、長方形状の基体部１１の短手方向（矢印Ｙ１およびＹ２方向）に位置する端部である。すなわち、一方端部１１１ａおよび他方端部１１１ｂは、長方形状の基体部１１の長辺部分である。
【００３３】
板部１３は、立ち上がり部１２の端部から他方端部１１１ｂ側（矢印Ｙ１方向側）に延びるように設けられており、基体部１１の上方に配置されている。板部１３は、立ち上がり部１２との境界部分よりも折り返し部１４との境界部分の方が上方に配置されるように、立ち上がり部１２よりも緩やかに傾斜するように構成されている。なお、板部１３および立ち上がり部１２の境界部分は、側面視において折れ曲がったような形状に形成されている。
【００３４】
折り返し部１４は、板部１３の端部と板部１５の端部との間に設けられている。折り返し部１４は、側面視において、くの字状（ドッグレッグ状）に形成されている。なお、折り返し部１４および板部１３の境界部分は、側面視において折れ曲がったような形状に形成されている。
【００３５】
板部１５は、折り返し部１４から一方端部１１１ａ側（矢印Ｙ２方向側）に延びるように設けられている。板部１５は、基体部１１の上方であり、かつ、板部１３の下方に配置されている。板部１５は、折り返し部１４との境界部分から上方へ傾斜するように形成されている。なお、板部１５および折り返し部１４の境界部分は、側面視において折れ曲がったような形状に形成され、基体部１１の表面からわずかに離間する位置に配置されている。
【００３６】
板部１５の下面には、基体部１１の表面と接触するゴム部材２０が設けられている。これにより、基体部１１および板部１５は、基体部１１と板部１５との間に配置されるカード５０を挟持するように構成されている。すなわち、基体部１１および板部１５は、カード５０を挟持するクリップとして機能する。
【００３７】
溝部１６は、一方端部１１１ａに沿って延びるように板部１３に設けられている。溝部１６は、側面視において凹状に形成されており、溝部１６の内側面の位置する平面が基体部１１の位置する平面と直交するように構成されている。これにより、溝部１６は、挿入されるカード５０を基体部１１に対して垂直な状態で支持するように構成されている。
【００３８】
また、溝部１６は、側面視において内側面の上端部が拡がるように曲線状に形成されている。すなわち、溝部１６は、カード５０の挿入口（上端部）の幅が広く形成されており、カード５０を挿入しやすいように構成されている。
【００３９】
ここで、立ち上がり部１２、板部１３、折り返し部１４、板部１５、および溝部１６は、一方端部１１１ａの長さと同じ長さを有する。すなわち、立ち上がり部１２、板部１３、折り返し部１４、板部１５、および溝部１６は、平面的に見て、一方の短辺１１２から他方の短辺１１２まで矢印Ｘ１またはＸ２方向に延びるように形成されている。つまり、立ち上がり部１２、板部１３、折り返し部１４、板部１５、および溝部１６は、基体部１１の長手方向の全長にわたり設けられている。
【００４０】
ゴム部材２０は、たとえば、弾性を有する軟質ゴムであり、板部１５と基体部１１との間にカード５０が差し込まれる際に生じる摩擦力、および、板部１５と基体部１１との間に位置するカード５０が抜き取られる際に生じる摩擦力を増大させるために設けられている。ゴム部材２０は、平面的に見て、一方の短辺１１２から他方の短辺１１２まで矢印Ｘ１またはＸ２方向に延びるように形成されている。
【００４１】
磁石３０は、たとえば、ゴム磁石であり、基体部１１の裏面に設けられている。磁石３０は、後述する黒板６０（図２参照）などにカード支持装置１を取り付けるために設けられている。
【００４２】
次に、図１〜図３を参照して、実施の形態１によるカード支持装置１の使用方法について説明する。なお、カード支持装置１は、たとえば、児童に算数を教える際の算数教習具として用いられる。以下では、一例として、児童に３−１の計算を教える場合について説明する。
【００４３】
［使用例１］
まず、カード支持装置１（図１参照）の基体部１１が机（図示省略）などの上に載置される。そして、溝部１６にカード５０が挿入されることにより、カード５０が溝部１６により支持される。これにより、カード５０が基体部１１に対して垂直な状態で立てられる。具体的には、数字の３が記載されたカード５０、演算子−が記載されたカード５０、数字の１が記載されたカード５０、演算子＝が記載されたカード５０、数字の２が記載されたカード５０が矢印Ｘ２方向に順に立てられる。
【００４４】
また、基体部１１と板部１５との間にカード５０が挿入されることにより、カード５０が基体部１１および板部１５により挟持される。これにより、カード５０が基体部１１に対して水平な状態で支持される。具体的には、３個の丸印が記載されたカード５０が数字の３が記載されたカード５０と対応するように配置され、１個の丸印が記載されたカード５０が数字の１が記載されたカード５０と対応するように配置される。これにより、数字と丸印の数とを対比させながら児童に計算をさせることができるので、児童に数式を理解させやすくすることができる。
【００４５】
［使用例２］
まず、カード支持装置１（図２参照）が黒板６０に取り付けられる。このとき、基体部１１の他方端部１１１ｂが下方に配置され、一方端部１１１ａが上方に配置される。そして、基体部１１と板部１５との間にカード５０が挿入されることにより、カード５０が基体部１１および板部１５により挟持される。これにより、カード５０が基体部１１に対して水平な状態で支持される。すなわち、カード５０が黒板６０に対して水平な状態で支持される。具体的には、数字の３が記載されたカード５０、演算子−が記載されたカード５０、数字の１が記載されたカード５０、演算子＝が記載されたカード５０、数字の２が記載されたカード５０が左側から順に配置される。
【００４６】
［使用例３］
まず、カード支持装置１（図３参照）が利用者により持たれる。このとき、基体部１１の一方端部１１１ａが下方に配置され、他方端部１１１ｂが上方に配置される。そして、基体部１１と板部１５との間にカード５０が挿入されることにより、カード５０が基体部１１および板部１５により挟持される。これにより、カード５０が基体部１１に対して水平な状態で支持される。具体的には、数字の３が記載されたカード５０、演算子−が記載されたカード５０、数字の１が記載されたカード５０、演算子＝が記載されたカード５０、数字の２が記載されたカード５０が左側から順に配置される。
【００４７】
実施の形態１では、上記のように、カード支持装置本体１０に板部１５および溝部１６を設けることによって、溝部１６によりカード５０を基体部１１に対して垂直な状態で支持するとともに、板部１５および基体部１１によりカード５０を基体部１１に対して水平な状態で挟持することができる。これにより、カード５０を対比可能なように２列に配置した状態で支持することができる。また、基体部１１、立ち上がり部１２、板部１３、折り返し部１４、板部１５、および溝部１６を一体的に形成することによって、台板に枠体部を設ける場合に比べて、部品点数を削減することができる。その結果、部品点数の削減を図りながら、カード５０を２列に配置した状態で支持することができる。
【００４８】
また、実施の形態１では、基体部１１の表面と接触するゴム部材２０を板部１５の下面に設けることによって、基体部１１および板部１５により挟持されるカード５０を抜けにくくすることができる。
【００４９】
また、実施の形態１では、立ち上がり部１２、板部１３、折り返し部１４、板部１５、および溝部１６が一方端部１１１ａの長さと同じ長さを有することによって、長方形状の基体部１１の一方端部１１１ａの全長にわたって、カード５０を支持することができる。
【００５０】
また、実施の形態１では、立ち上がり部１２、板部１３、折り返し部１４、板部１５、および溝部１６を、短手方向に位置する一方端部１１１ａに設けることによって、基体部１１の面積を小さくすることができるので、カード支持装置１の小型化を図ることができる。
【００５１】
＜実施の形態２＞
まず、図４を参照して、実施の形態２によるカード支持装置１ａの構造について説明する。なお、実施の形態１によるカード支持装置１と同一構成部分には同一符号を付して重複する説明を省略する。
【００５２】
カード支持装置１ａは、図４に示すように、カード５０を支持するカード支持装置本体１０ａと、カード支持装置本体１０ａに取り付けられたゴム部材２０とを備えている。なお、カード支持装置１ａには、カード支持装置１と異なり、磁石３０（図１参照）が設けられていない。
【００５３】
基体部１１は、平面的に見て長方形状に形成されており、長辺１１１および短辺１１２を有する。立ち上がり部１２は、基体部１１の一方端部１１２ａから上方に延びるように設けられている。立ち上がり部１２は、他方端部１１２ｂ側（矢印Ｙ１方向側）に傾斜するように形成されている。
【００５４】
なお、一方端部１１２ａおよび他方端部１１２ｂは、長方形状の基体部１１の長手方向（矢印Ｙ１およびＹ２方向）に位置する端部である。すなわち、一方端部１１２ａおよび他方端部１１２ｂは、長方形状の基体部１１の短辺部分である。
【００５５】
また、立ち上がり部１２、板部１３、折り返し部１４、板部１５、および溝部１６は、一方端部１１２ａの長さと同じ長さを有する。すなわち、立ち上がり部１２、板部１３、折り返し部１４、板部１５、および溝部１６は、平面的に見て、一方の長辺１１１から他方の長辺１１１まで矢印Ｘ１またはＸ２方向に延びるように形成されている。つまり、立ち上がり部１２、板部１３、折り返し部１４、板部１５、および溝部１６は、基体部１１の短手方向の全長にわたり設けられている。
【００５６】
次に、図４を参照して、実施の形態２によるカード支持装置１ａの使用方法について説明する。
【００５７】
まず、カード支持装置１ａ（図４参照）の基体部１１が受付台（図示省略）などの上に載置される。なお、カード支持装置１ａは、接着材により受付台に取り付けられていてもよいし、ねじにより受付台に取り付けられていてもよい。そして、溝部１６にカード５０が挿入されることにより、カード５０が溝部１６により支持される。これにより、カード５０が基体部１１に対して垂直な状態で立てられる。具体的には、案内情報などが記載されたカード５０が立てられる。
【００５８】
また、基体部１１と板部１５との間にメモ用紙５１が挿入されることにより、メモ用紙５１が基体部１１および板部１５により挟持される。これにより、メモ用紙５１が基体部１１に対して水平な状態で支持される。このとき、メモ用紙５１は、基体部１１の表面上に載置される。
【００５９】
実施の形態２では、上記のように、立ち上がり部１２、板部１３、折り返し部１４、板部１５、および溝部１６を、長手方向に位置する一方端部１１２ａに設けることによって、基体部１１および板部１５により挟持されるメモ用紙５１を基体部１１の表面上に載置することができる。
【００６０】
なお、実施の形態２のその他の効果は、上記実施の形態１と同様である。
【００６１】
＜実施の形態３＞
まず、図５を参照して、実施の形態３によるカード支持装置１ｂの構造について説明する。なお、実施の形態１によるカード支持装置１と同一構成部分には同一符号を付して重複する説明を省略する。
【００６２】
カード支持装置１ｂは、図５に示すように、カード５０（図１参照）を支持するカード支持装置本体１０ｂと、カード支持装置本体１０ｂに取り付けられたゴム部材２０および磁石３０とを備えている。
【００６３】
カード支持装置本体１０ｂは、基体部１１と、立ち上がり部１２ｂと、板部１３と、折り返し部１４と、板部１５と、溝部１６ｂと、板部１７とを含んでいる。なお、板部１７は、本考案の「第３板部」の一例である。カード支持装置本体１０ｂは、硬質樹脂により形成されており、基体部１１、立ち上がり部１２ｂ、板部１３、折り返し部１４、板部１５、溝部１６ｂ、および板部１７は、一体的に形成されている。
【００６４】
立ち上がり部１２ｂおよび板部１７は、基体部１１の一方端部１１１ａから上方に延びるように設けられている。立ち上がり部１２ｂおよび板部１７は、基体部１１に対して垂直に延びるように形成されている。板部１７は、立ち上がり部１２ｂと対向するように設けられている。
【００６５】
溝部１６ｂは、立ち上がり部１２ｂと板部１７とにより構成されている。溝部１６ｂは、側面視において凹状に形成されており、挿入されるカード５０を基体部１１に対して垂直な状態で支持するように構成されている。また、溝部１６ｂは、側面視において内側面の上端部が拡がるように曲線状に形成されている。すなわち、溝部１６ｂは、カード５０の挿入口（上端部）の幅が広く形成されており、カード５０を挿入しやすいように構成されている。
【００６６】
ここで、立ち上がり部１２ｂ、板部１３、折り返し部１４、板部１５、溝部１６ｂ、および板部１７は、一方端部１１１ａの長さと同じ長さを有する。すなわち、立ち上がり部１２ｂ、板部１３、折り返し部１４、板部１５、溝部１６ｂ、および板部１７は、平面的に見て、一方の短辺１１２から他方の短辺１１２まで矢印Ｘ１またはＸ２方向に延びるように形成されている。つまり、立ち上がり部１２ｂ、板部１３、折り返し部１４、板部１５、溝部１６ｂ、および板部１７は、基体部１１の長手方向の全長にわたり設けられている。
【００６７】
なお、実施の形態３の効果は、上記実施の形態１と同様である。
【００６８】
なお、今回開示した実施の形態は、すべての点で例示であって、限定的な解釈の根拠となるものではない。したがって、本考案の技術的範囲は、上記した実施の形態のみによって解釈されるものではなく、実用新案登録請求の範囲の記載に基づいて画定される。また、本考案の技術的範囲には、実用新案登録請求の範囲と均等の意味および範囲内でのすべての変更が含まれる。
【００６９】
たとえば、実施の形態１〜３では、板部１５の下面にゴム部材２０が取り付けられる例を示したが、これに限らず、板部１５の下面にゴム部材２０以外の摩擦部材が取り付けられていてもよい。また、板部１５の下面に摩擦部材が取り付けられていなくてもよい。この場合には、板部１５が基体部１１側に付勢された状態で、板部１５が基体部１１と接触するようにすればよい。
【００７０】
また、実施の形態１では、カード支持装置１が算数教習具として用いられる例を示したが、これに限らず、カード支持装置１が受付台に設置され、基体部１１および板部１５によりメモ用紙が挟持されるようにしてもよい。同様に、実施の形態２では、カード支持装置１ａが受付台に設置される例を示したが、これに限らず、カード支持装置１ａが算数教習具として用いられ、基体部１１および板部１５によりカードが挟持されるようにしてもよい。
【００７１】
また、実施の形態１〜３では、基体部１１が平面的に見て長方形状に形成される例を示したが、これに限らず、たとえば、基体部が平面的に見て正方形状に形成されていてもよい。
【００７２】
また、実施の形態１〜３では、板部１５および折り返し部１４の境界部分が、基体部１１の表面からわずかに離間する位置に配置される例を示したが、これに限らず、板部１５および折り返し部１４の境界部分が、基体部１１の表面に接触する位置に配置されていてもよい。
【００７３】
また、実施の形態１および２では、溝部１６に挿入されるカード５０が基体部１１に対して垂直な状態で支持される例を示したが、これに限らず、溝部を基体部に対して傾斜するように設けることにより、溝部に挿入されるカードが基体部に対して傾斜した状態で支持されるようにしてもよい。なお、実施の形態３についても同様である。
【符号の説明】
【００７４】
１、１ａ、１ｂ      カード支持装置
１１                基体部
１２、１２ｂ        立ち上がり部
１３                板部（第１板部）
１４                折り返し部
１５                板部（第２板部）
１６、１６ｂ        溝部
１７                板部（第３板部）
２０                ゴム部材（摩擦部材）
３０                磁石
５０                カード
１１１ａ、１１２ａ  一方端部
１１１ｂ、１１２ｂ  他方端部
【図１】
0003171119.tif 000003
【図２】
0003171119.tif 000004
【図３】
0003171119.tif 000005
【図４】
0003171119.tif 000006
【図５】
0003171119.tif 000007